(57)【特許請求の範囲】
【請求項１】
秤量皿の直下に天びん機構を備えるとともに、その天びん機構が当該電子天びんの電気回路と同一のケーシング内に収容され、そのケーシング上には、当該ケーシングの天井面に形成された貫通孔を介してケーシング外部上方に持ち出された秤量皿を内包する秤量室が設けられてなる電子天びんにおいて、上記ケーシング内部で、上記貫通孔および天びん機構を含む領域と、上記電気回路のうちの電源回路部が配置された領域と、その電源回路部を除く他の回路部が配置された領域とが、それぞれ空気流遮断部材によって互いに仕切られ、かつ、上記ケーシングの電源回路部が配置されている領域には熱気を外部に逃がすための開放部が形成されているとともに、上記貫通孔および天びん機構を含む領域と電源回路部の配置領域の間に他の回路部の配置領域が介在していることを特徴とする電子天びん。
【発明の詳細な説明】
【０００１】
【発明の属する技術分野】
本発明は電子天びんに関し、更に詳しくは、秤量皿を収容する秤量室を備え、かつ、その秤量皿の直下に天びん機構を備えた電子天びんに関する。
【０００２】
【従来の技術】
秤量皿の直下に天びん機構が配置され、かつ、秤量室を備えてなる電子天びんにおいては、天びん機構を収容するケーシングの天井面に貫通孔を穿ち、天びん機構に係合される秤量皿はその貫通孔を介して上方に伸びる皿受け棒の頂部に配置されてケーシングの外部上方に持ち出されるとともに、ケーシング上にはその秤量皿を囲むように秤量室が設けられる。
【０００３】
ところで、この種の電子天びんにおいては、電源回路部並びに駆動制御用等の電気回路への通電により回路中の素子が発熱し、この電気回路を天びん機構と同じケーシング内に収容した場合には、ケーシング内の温度が上昇し、ケーシングの上方に設けられている秤量室内との温度差が大きくなる。この温度差の増大は、ケーシング上面に形成されている秤量皿持ち出し用の貫通孔を介してケーシング内部から秤量室へと向かう気流の発生に繋がる。この気流は、貫通孔の直上に配置されている秤量皿の裏面に当たり、計量表示値を変動させ、その値に誤差を含ませる原因となる。
【０００４】
このような問題に対して、従来、電気回路を、天びん機構を収容するケーシングとは別のケーシングに収容することにより、電気回路素子の発熱が天びん機構を収容したケーシングにまで及ぶことを抑制し、その天びん機構用ケーシング内と秤量室内の温度差を極力小さくする対策や、あるいは、図２に要部断面図を示すように、天びん機構並びに電気回路を収容するケーシング２０１の上面に形成された貫通孔２０２の上方に風よけ板２０３を設け、ケーシング２０１内で電気回路素子の発熱により熱せられた空気が貫通孔２０２を介して秤量室２０４内に流入する際、その気流の大半を貫通孔２０２の周囲に誘導して秤量皿２０５を直撃しないようにする対策等が採用されている。
【０００５】
【発明が解決しようとする課題】
ところで、以上の従来の対策のうち、電気回路を天びん機構とは別のケーシングに収容する対策は、別置の専用ケーシングが必要となってコストが高くなるという問題があり、また、風よけ板を設ける対策は、風よけ板を有効に機能させるためにはケーシング上面と風よけ板との間の距離を長くする必要があり、その分、秤量皿の設置高さが高くなり、デザイン上好ましくないばかりでなく、はかり取り作業等における操作性が悪化する場合もある。
【０００６】
本発明はこのような実情に鑑みてなされたもので、コストをさほど上昇させることなく、かつ、デザインや操作性を損なうことなく、電気回路基板の発熱による計量値の変動を抑制することのできる電子天びんの提供を目的としている。
【０００７】
【課題を解決するための手段】
上記の目的を達成するため、本発明の電子天びんは、秤量皿の直下に天びん機構を備えるとともに、その天びん機構が当該電子天びんの電気回路と同一のケーシング内に収容され、そのケーシング上には、当該ケーシングの天井面に形成された貫通孔を介してケーシング外部上方に持ち出された秤量皿を内包する秤量室が設けられてなる電子天びんにおいて、上記ケーシング内部に、上記貫通孔および天びん機構を含む領域と、上記電気回路の電源回路部が配置された領域と、その電源回路部を除く他の回路部が配置された領域とが、それぞれ空気流遮断部材によって互いに仕切られ、かつ、上記ケーシングの電源回路部が配置されている領域には熱気を外部に逃がすための開放部が形成されているとともに、上記貫通孔および天びん機構を含む領域と電源回路部の配置領域の間に他の回路部の配置領域が介在していることによって特徴づけられる（請求項１）。
【０００８】
本発明は、電気回路を天びん機構と同一のケーシング内に収容するが、電気回路中の素子の発熱による熱気、特に電源回路部において発生する熱気を、天びん機構並びに貫通孔側に流入させず、直接的に外部に逃がすことによって所期の目的を達成しようとするものである。
【０００９】
すなわち、ケーシング内において、貫通孔を含む天びん機構を含む領域と、電源回路部の配置領域と、その電源回路部を除く他の回路部の配置領域とをそれぞれ空気流遮断部材で仕切り、電源回路部の配置領域に熱気を外部に逃がすための開放部を形成し、更に、その電源回路部の配置領域と、貫通孔および天びん機構を含む領域との間に他の回路部の配置領域を介在させる構成の採用により、最も発熱量の大きな電源回路部で生じた熱気が直接的に外部に逃がされ、しかも、貫通孔および天びん機構を含む領域が、他の回路部の配置領域との間の空気流遮断部材と、当該他の回路部の配置領域と電源回路部の配置領域との間の空気流遮断部材との、二重の空気流遮断部材により電源回路部並びに開放部に対して仕切られるため、電源回路部並びに他の回路部での発熱によりケーシング内で生じる空気流が天びん機構の配置領域にまで至ること、および、開放部を介してケーシング内に流入する外気が天びん機構の配置領域にまで至ることを確実に防止することができる。その結果、天びん機構が配置され、かつ、秤量室に連通する貫通孔が形成されている領域内の温度と、秤量室内の温度との差が小さくなり、貫通孔を介して秤量室に流入する気流の発生を抑制することができるとともに、開放部を介してケーシング内部に流れ込む外気についても、二重の空気流遮断部材によって天びん機構の配置領域に及ぶことが阻止され、計量表示値の変動を生じさせることがない。
【００１０】
【発明の実施の形態】
以下、図面を参照しつつ本発明の好適な実施の形態について述べる。図１は本発明の実施の形態の構成を示す縦断面図である。なお、この図１においては、各部を接続する配線類についてはその図示を省略している。
【００１１】
天びん機構１は、電源回路部２１，制御用回路基板２２および表示用回路基板２３を含む電気回路とともに、天びんベース３１とその上方を覆う天びんケース３２からなる同一のケーシング３内に収容されている。天びんケース３２は天びんベース３１に固定されているが、これらの間には、その周囲に略一定の隙間Ｇが形成されている。また、天びんケース３２の一端部には、計量値等を表示するための表示器４が装着されている。
【００１２】
天びん機構１には、秤量皿５を支持するための皿受け棒１１が取り付けられており、この皿受け棒１１は天びんケース３２の天上面３２ａに形成された貫通孔３２ｂを介してケーシング３外に突出し、秤量皿５はその先端に載せられてケーシング３の外部上方に配置されている。そして、この秤量皿５は、ケーシング３上に設けられた秤量室６内に収容されている。秤量室６は、その天井部に設けられた扉６ａと、両側壁部に設けられた扉（図示せず）を備えており、秤量皿５に対する被測定試料の載せ下ろしはこれらの扉をを開くことによって行われる。なお、図１において６１は秤量室６の扉類を含む壁体の支持部材であり、この支持部材６１の奥部上縁には、上記した天井部の扉６ａの開放時にその端部を通過させるためのスリット６１ａが形成されている。
【００１３】
天びん機構１は、インナーケース７内に収容された状態でケーシング３内に収容され、このインナーケース７には、皿受け棒１１を貫通させるための貫通孔７ａ、天びん機構１の四隅誤差調整用孔７ｂが形成され、また、これらの孔以外にも、天びん機構１と制御用基板２２とを繋ぐ配線孔（図示せず）等が形成され、これら複数の孔によってケーシング３内の他領域と連通している。
【００１４】
さて、上記した電気回路のうち、表示用回路基板２３は表示器４に近接してケーシング３内の一端側に配置されているとともに、電源回路部２１はケーシング３の他端側に配置され、その電源回路部２１と天びん機構１を収容したインナーケース７との間には、制御用回路基板２２が配置されている。そして、インナーケース７の天井面７ｃの周縁には、先端が天びんケース３２の天井面３２ａにまで達する空気流遮断部材８１が設けられ、また、電源回路部２１と制御用回路基板２２との間、および、インナーケース７と表示用回路基板２３との間にもそれぞれ空気流遮断部材８２および８３が設けられている。各空気流遮断部材８１，８２，８３は、この例において平板状の部材であって、その材質としては樹脂、金属等、任意のものを採用することができ、ケーシング３内はこれらの各空気流遮断部材８１，８２，８３によって実質的に４つの領域に仕切られている。なお、各領域間の配線は、各空気流遮断部材８１，８２，８３に形成された配線用孔（図示せず）を介して行われる。
【００１５】
そして、天びんケース３２の天井面３２ａには、電源回路部２１を収容した領域において熱気を外部に逃がすための開放部３２ｃが形成され、この開放部３２ｃは秤量室６の支持部材６１の上縁部に設けられたスリット６１ａを介して外部に連通している。
【００１６】
以上の実施の形態において、電源回路部２１への通電により制御用回路基板２２および表示用回路基板２３に電源が供給されて動作状態となるが、この通電により、各回路中の素子が発熱し、特に電源回路部２１での発熱量が大となる。この電源回路２１における発熱により周囲の空気が熱せられ、その熱気は主として上方に向かう気流を生起させるが、その熱気は空気流遮断部材８２の存在によって制御用回路基板２２の配置領域に侵入することが阻止され、その殆どが天びんケース３２の天井面３２ａに形成された開放部３２ｃを介して、ケーシング３内に対流を形成することなくケーシング３外に逃げ、更にスリット６１ａを介して外部へと放出される。また、スリット６１ａを介してケーシング３の開放部３２ｃへと外気が流入した場合においても、その空気流は空気流遮断部材８２によって隣接する制御用回路基板２２の配置領域に流入することが抑制され、かつ、この空気流遮断部材８２に、電源回路部２１と制御用回路基板２２間を接続するための配線孔等の隙間があっても、その隙間を介して僅かに制御用回路基板２２の配置領域に至る空気流は、空気流遮断部材８１によって天びん機構１の配置領域にまで到達することが阻止される。
【００１７】
一方、制御用回路基板２２での発熱による上記と同等の気流についても、空気流遮断部材８１の存在により天びん機構１の配置領域に侵入することが阻止され、更に、表示用回路基板２３での発熱による気流についても、空気流遮断部材８３および８１の存在によって天びん機構１の配置領域に侵入することが阻止される。なお、制御用回路基板２２および表示用回路基板２３の発熱による熱気は、天びんベース３１と天びんケース３２の間に形成されている隙間Ｇを介してケーシング３外に放出される、ケーシング３内に籠もることはない。
【００１８】
以上の結果、天びん機構１の配置領域の温度は電源回路部２１、制御用回路基板２２および表示用回路基板２３中の素子の発熱による影響を受けにくく、かつ、気流の流入も殆ど生じない。これにより、貫通孔３２ｂを介して秤量室６内に流入する気流が発生せず、計量表示値の変動が生じない。
【００１９】
【発明の効果】
以上のように、本発明によれば、天びん機構と電気回路とを同一のケーシング内に収容するとともに、天びん機構の配置領域と、電気回路のうちの電源回路部の配置領域と、その電源回路部を除く他の回路部の配置領域とを、それぞれ空気流遮断部材によって仕切り、電源回路部の配置領域のケーシングには外部に連通する開放部を設け、しかも、電源回路部と天びん機構の配置領域との間に他の電気回路の配置領域を介在させているので、最も発熱量の大きな電源回路部で発生した熱気は他の回路部の配置領域並びに天びん機構の配置領域に流入することなく開放部を介して直接的に外部に放出され、かつ、ケーシングの開放部を介してケーシング内に流入する外気についても、空気流遮断部材の存在によって天びん機構の配置領域にまで到達することが阻止される。しかも、天びん機構の配置領域は二重の空気流遮断部材によって電源回路部並びに開放部に対して仕切られることになり、電源回路部で発生した熱気の天びん機構の配置領域にに対する遮断効果、並びに開放部を介して流入する外気の天びん機構の配置領域に対する遮断効果は確実なものとなる。その結果、電気回路専用のケーシングを設けることなく、また、風よけ板を設けてケーシング上面から秤量皿までの高さを高くすることなく、従ってコストを上昇させることなく、かつ、デザインや操作性を損なうことなく、ケーシング天井面の皿持ち出し用貫通孔を介して秤量室内に流入する気流の発生を抑制して、計量表示値の変動を防止することができる。
【図面の簡単な説明】
【図１】  本発明の実施の形態の構成を示す縦断面図である。
【図２】  ケーシングから貫通孔を介して秤量室に流入する気流による計量表示値の変動を抑制するための風よけ板を用いた従来対策の説明図である。
【符号の説明】
１  天びん機構
１１  皿受け棒
２１  電源回路部
２２  制御用回路基板
２３  表示用回路基板
３  ケーシング
３１  天びんベース
３２  天びんケース
３２ａ  天井面
３２ｂ  貫通孔
３２ｃ  開放部
４  表示器
５  秤量皿
６  秤量室
７  インナーケース
８１，８２，８３  空気流遮断部材
Ｇ  隙間
【図１】
0003922328.tif 000002
【図２】
0003922328.tif 000003